(57)【要約】【課題】  電子機器の筐体から投影部を分離した場合において、画像の投影と撮像を同時に行うことができる電子機器を提供する。【解決手段】  投影部２２と、撮像部３０と、前記投影部及び前記撮像部の制御を行う制御部と、前記投影部、前記撮像部及び前記制御部を収容する筐体とを備え、前記投影部は、前記制御部と通信可能な状態で、前記筐体に対して着脱可能に構成されている。【選択図】  図３
2010220069.tif 000002
【特許請求の範囲】
【請求項１】
投影部と、
撮像部と、
前記投影部及び前記撮像部の制御を行う制御部と、
前記投影部、前記撮像部及び前記制御部を収容する筐体と
を備え、
前記投影部は、前記制御部と通信可能な状態で、前記筐体に対して着脱可能に構成されていることを特徴とする電子機器。
【請求項２】
前記投影部はケーブルを介して前記制御部と接続され、
前記筐体は、前記ケーブルを収納するケーブル収納部を備えることを特徴とする請求項１記載の電子機器。
【請求項３】
前記筐体と前記投影部との着脱状態を検出する検出部を備え、
前記制御部は、前記検出部により前記筐体から前記投影部が分離されたことが検出された場合に、前記投影部による投影及び前記撮像部による撮像を可能とすることを特徴とする請求項１または２記載の電子機器。
【請求項４】
前記検出部により前記筐体から前記投影部が分離されたことが検出された場合に、前記投影部による投影と前記撮像部による撮像を同時に行うか、前記投影部による投影のみを行うかを選択する第１選択部を備えることを特徴とする請求項３に記載の電子機器。
【請求項５】
画像を表示する表示部と、
前記表示部の表示制御を行う表示制御部とを更に備え、
前記投影部による投影と前記撮像部による撮像を同時に行う場合に、前記表示制御部は、前記表示部に前記撮像部により撮像された画像及び前記投影部により投影される画像を同時に表示することを特徴とする請求項４記載の電子機器。
【請求項６】
画像を表示する表示部と、
前記表示部の表示制御を行う表示制御部とを更に備え、
前記投影部による投影と前記撮像部による撮像を同時に行う場合に、前記表示制御部は、前記表示部に前記撮像部により撮像された画像と前記投影部により投影される画像の何れを表示するかを選択する第２選択部を備えることを特徴とする請求項４記載の電子機器。
【請求項７】
画像を表示する表示部と、
前記表示部の表示制御を行う表示制御部とを更に備え、
前記投影部による投影と前記撮像部による撮像を同時に行う場合に、前記投影部は、前記撮像部により撮像された画像を直ちに投影することを特徴とする請求項４記載の電子機器。
【請求項８】
画像を表示する第１及び第２表示部と、
前記第１及び第２表示部の表示制御を行う表示制御部とを更に備え、
前記投影部による投影と前記撮像部による撮像を同時に行う場合に、前記表示制御部は、前記第１表示部に前記撮像部により撮像された画像を表示すると共に、前記第２表示部に前記投影部により投影される画像を表示することを特徴とする請求項４記載の電子機器。
【請求項９】
前記投影部による投影と前記撮像部による撮像を同時に行う場合に、前記撮像部により撮像が行われた場合には、前記投影部により投影されている画像に代えて、前記撮像部により撮像した画像を前記投影部により投影することを特徴とする請求項４記載の電子機器。
【発明の詳細な説明】
【技術分野】
【０００１】
本発明は、電子機器に関するものである。
【背景技術】
【０００２】
プロジェクタ機能を有するカメラが知られている。（例えば、特許文献１参照）。
【先行技術文献】
【特許文献】
【０００３】
【特許文献１】特開２００５−２５０３９２号公報
【発明の概要】
【発明が解決しようとする課題】
【０００４】
しかし、このカメラにおいてはカメラ本体に投影部が一体に構成されているため、両者を分離させて画像を投影することはできなかった。
【０００５】
本発明の目的は、電子機器の筐体から投影部を分離した場合において、画像の投影と撮像を同時に行うことができる電子機器を提供することである。
【課題を解決するための手段】
【０００６】
本発明の電子機器は、投影部と、撮像部と、前記投影部及び前記撮像部の制御を行う制御部と、前記投影部、前記撮像部及び前記制御部を収容する筐体とを備え、前記投影部は、前記制御部と通信可能な状態で、前記筐体に対して着脱可能に構成されていることを特徴とする。
【発明の効果】
【０００７】
本発明の電子機器によれば、電子機器の筐体から投影部を分離した場合において、画像の投影と撮像を同時に行うことができる。
【図面の簡単な説明】
【０００８】
【図１】本発明の実施の形態に係るカメラの前面を示す斜視図である。
【図２】本発明の実施の形態に係るカメラの背面を示す斜視図である。
【図３】本発明の実施の形態に係るカメラ内部に収納された各ユニットの配置を示す正面断面図である。
【図４】本発明の実施の形態に係るカメラ内部に収納された各ユニットの配置を示す上面断面図である。
【図５】本発明の実施の形態に係るカメラの図４におけるＡ−Ａ断面図である。
【図６】本発明の実施の形態に係るカメラのシステム構成を示す図である。
【図７】本発明の実施の形態に係るカメラより画像の投影を行っている状態を示す図である。
【図８】本発明の実施の形態に係るカメラより画像の投影を行っている状態を示す図である。
【図９】本発明の実施の形態に係るカメラより画像の投影を行っている状態を示す図である。
【発明を実施するための形態】
【０００９】
以下、図面を参照して本発明の実施の形態に係る電子機器についてカメラを例に説明する。図１は、実施の形態に係るカメラの前面を示す斜視図である。カメラ２はプロジェクタを備えるデジタルカメラであって、カメラ２の筐体４はアルミニウム等の金属やプラスチックにより構成されている。筐体４の前面６には、被写体光を入射させる撮影窓１０、画像を投影するプロジェクタ投影窓１２、被写体を照射する光を射出するフラッシュ窓１４が設けられている。また、筐体４の上面には、電源スイッチ１６、レリーズ指示を行うレリーズボタン１８、カメラ撮影を行う撮影モードとプロジェクタ投影を行うプロジェクタモードとを切り換えるＰＪボタン２０、投影部２２（図３参照）を筐体４内に挿入、または引出すための開口部２１が設けられている。
【００１０】
図２は、実施の形態に係るカメラの背面を示す斜視図である。筐体４の背面８には、撮像画像や投影画像を表示するＬＣＤ表示部２４、投影する画像の選択等を行うマルチセレクタ２６、音量調整ボタン２８等の操作部が設けられている。
【００１１】
図３は、実施の形態に係るカメラ内部に収納された各ユニットの配置を示す正面断面図である。カメラ２の内部の略中央には画像を投影するための投影光学系と光源であるＬＥＤ等を有する投影部２２が配置されている。投影部２２は筐体４に着脱可能に構成されており、筐体４の上面に設けられた開口部２１から筐体４内に挿入することにより、筐体４に装着され、開口部２１から引出すことにより筐体４から取外される。また、投影部２２の図３における右側には、被写体を撮像するための撮像素子を有する撮像部３０が、投影部２２の左側には、投影部２２及び撮像部３０等に電力を供給するバッテリを収容する電池室３２が設けられている。また、投影部２２の上面には投影部２２を筐体４に対して着脱する場合に把持する把持部３６が設けられている。
【００１２】
ここで、投影部２２を筐体４に装着する場合には、投影部２２の把持部３６を把持して開口部２１から筐体４内に挿入する。投影ユニット２２の底面は筐体４内の底面に設けられる取付座３４と接触した状態で筐体４に装着される。
【００１３】
また、筐体４内の底面には投影部２２が筐体４に装着されたことを検出する接触式のスイッチを用いた検出部３８が設けられている。このスイッチがオンの場合、筐体４に投影部２２が装着されたことが検出される。一方、スイッチがオフの場合、筐体４から投影部２２が取外されたことが検出される。
【００１４】
図４は、実施の形態に係るカメラ内部に収納されたユニットの配置を示す上面断面図であり、図５は、図４におけるＡ−Ａ断面図である。図４に示すように、ＣＰＵ５０（図６参照）を有するメイン基板４０が筐体４内部の背面側に設けられている。メイン基板４０に設けられたコネクタ４２にフラットケーブル４４の一端部が接続され、投影部２２に設けられたコネクタ４６にフラットケーブル４４の他端部が接続されている。投影部２２が筐体４に装着された場合、フラットケーブル４４は投影部２２のコの字形状の空間に形成されたケーブル収納部２３（図３参照）に折り畳んで収納される。
【００１５】
図６は、実施の形態に係るカメラのシステム構成を示すブロック図である。カメラ２はＣＰＵ５０を備え、ＣＰＵ５０には、操作部５２、ＬＣＤ表示部２４の表示制御を行う表示制御部５４、図示しない撮影レンズ、シャッタの駆動制御を行う撮影制御部５８、被写体を撮像するための撮像素子を有する撮像部３０、撮像素子から出力された撮像信号を図示しないＡ／Ｄ変換部においてＡ／Ｄ変換することにより生成された画像データを記憶するバッファメモリ６０、撮像画像、投影画像、種々のデータを記憶するメモリカード６２、バッファメモリ６０やメモリカード６２に記憶された画像や種々のデータを投影する投影部２２、筐体４と投影部２２の脱着状態を検出する検出部３８が接続されている。
【００１６】
ここで、操作部５２は、電源スイッチ１６、レリーズボタン１８、ＰＪボタン２０、マルチセレクタ２６、音量調節ボタン２８等を含み、投影部２２は、光源であるＬＥＤ６４の点灯及び消灯を行う電源制御部６６、投影する画像を表示するＬＣＯＳ６８の表示制御を行う投影制御部７０を備えている。
【００１７】
カメラ２を用いて画像の投影を行う場合には、筐体４から投影部２２を取外し、投影部２２を投影面に対して最適な投影距離で設置する。検出部３８により筐体４から投影部２２が取外されたことを検出した場合、投影部２２による投影と撮像部３０による撮像を同時に行う同時モードに設定される。従って操作者は投影面から最適な距離だけ離れた位置において筐体４の背面８のマルチセレクタ２６を操作し、ＬＣＤ表示部２４に画像を表示させて画像の確認を行いながら投影画像を決定し投影部２２により画像の投影を行う。また音声が記憶されている画像の場合には、音量調節ボタン２８を操作して音量の調整を行う。
【００１８】
この実施の形態に係るカメラによれば、投影部と筐体内に設けられる制御部がフラットケーブルで接続された状態で筐体から投影部を分離することができるため、筐体から投影部を分離した状態で投影部による投影と撮像部による撮像を同時に行うことができる。また筐体に投影部を装着した場合には、通常のデジタルカメラとして使用することができる。また、筐体と投影部がフラットケーブルで接続されているため、投影部の紛失を防止することができる。また筐体から投影部が取外されることにより、投影と撮像を同時に行う同時モードに設定されるため良好な操作性を得ることができる。
【００１９】
なお、上述の実施の形態においては、筐体４から投影部２２が取外されたことを検出部３８により検出した場合、撮像部３０による撮像と投影部２２による投影を同時に行う同時モードに設定されるが、筐体４から投影部２２が取外された場合に、同時モードに設定するか、投影部２２による投影のみを行う投影モードに設定するか筐体４の背面８のマルチセレクタ２６を操作することにより選択可能としてもよい。
【００２０】
また、上述の実施の形態において、筐体４から投影部２２が取外され、投影部２２による投影と撮像部３０による撮像が同時に行われる場合、図７に示すように、２分割されたＬＣＤ表示部の第１表示部７２には投影される画像を、第２表示部７４には撮像された画像を同時に表示してもよい。即ち、表示制御部５４により第１表示部７２に投影部２２により投影される画像を表示し、第２表示部７４に撮像部３０により撮像された画像を表示する。また、筐体４の背面８のマルチセレクタ２６を操作することにより、投影画像か撮像画像か何れか一方を選択し、選択した方をＬＣＤ表示部２４に表示してもよい。
【００２１】
また、上述の実施の形態において、筐体４から投影部２２が取外され、投影部２２による投影と撮像部３０による撮像が同時に行われる場合、図８に示すように撮像部３０により撮像された画像をＬＣＤ表示部２４に表示させると共に、その画像を直ちに投影部２２により投影してもよい。
【００２２】
また、上述の実施の形態において、筐体４から投影部２２が取外され、投影部２２による投影と撮像部３０による撮像が同時に行われる場合、図９に示すように筐体４の背面８には第１ＬＣＤ表示部７６を、上面には第２ＬＣＤ表示部７８を設け、第１ＬＣＤ表示部７６には撮像画像を、第２ＬＣＤ表示部７８には投影画像を表示してもよい。
【００２３】
また、上述の実施の形態において、筐体４から投影部２２が取外され、投影部２２による投影と撮像部３０による撮像が同時に行われる場合、撮像部３０により撮像が行われたときには、投影部２２により投影されている画像に代えて、撮像部３０により撮像した画像を投影部２２により投影してもよい。
【００２４】
また、上述の実施の形態においては、投影部２２が筐体４に装着されたか否かを検出するために接触式のスイッチを用いているが、光学的機能を有する非接触式のセンサを用いてもよい。
【００２５】
また、投影部２２とカメラ２本体とをケーブルで接続せずに、Ｗｉｆｉなどの無線で通信しても構わない。
【産業上の利用可能性】
【００２６】
本発明は、プロジェクタを備えるデジタルカメラに利用することができる。
【符号の説明】
【００２７】
２…カメラ、４…筐体、１０…撮影窓、１２…プロジェクタ投影窓、２０…ＰＪボタン、２２…投影部、２４…ＬＣＤ表示部、２６…マルチセレクタ、３０…撮像部、３６…把持部、３８…検出部、４０…メイン基板、４４…フラットケーブル。
【図１】
2010220069.tif 000003
【図２】
2010220069.tif 000004
【図３】
2010220069.tif 000005
【図４】
2010220069.tif 000006
【図５】
2010220069.tif 000007
【図６】
2010220069.tif 000008
【図７】
2010220069.tif 000009
【図８】
2010220069.tif 000010
【図９】
2010220069.tif 000011